(57)【要約】【課題】  パーソナライズされたコンテンツを配信する。【解決手段】  パーソナライズされたコンテンツ配信のための、方法、システム、及び／又はコンピュータプログラム製品には、ユーザの個人的な好みを要請するための信号を送信することが含まれることがあり、ユーザの個人的な好みは、通信デバイスのメモリ、ＳＩＭ、又はＵ−ＳＩＭなどの１つの中に格納されることがある。方法、システム、及び／又はコンピュータプログラム製品は、そのユーザの個人的な好み又は大多数のユーザの個人的な好みの１つに応答して、一定のコンテンツを配信することをさらに含むことがある。【選択図】  図１
2008544367.tif 000002
【特許請求の範囲】
【請求項１】
ユーザの個人的な好みを要請するための信号を送信するステップであって、前記ユーザの個人的な好みが、通信デバイス、ＳＩＭ、又はＵ−ＳＩＭの１つの中に格納されるステップと、
前記ユーザの個人的な好み又は大多数のユーザの個人的な好みの１つに応答して、一定のコンテンツを配信するステップとを含む、パーソナライズされたコンテンツ配信のための方法。
【請求項２】
パーソナライズされたコンテンツ配信機能を含む少なくとも１つの通信デバイスを検出したことに応答して、ユーザの個人的な好みを要請するための前記信号を送信することをさらに含む請求項１に記載の方法。
【請求項３】
前記ユーザの個人的な好みを要請するための前記信号が、コンテンツ配信システムに基づく１つ又は複数の一定のカテゴリに限定される請求項１に記載の方法。
【請求項４】
ユーザの個人的な好みの任意の変更を判断するために所定の事象後にポーリングするステップと、
ユーザの個人的な好み及び大多数のユーザのユーザの個人的な好みの１つの変更に応答して、新しい一定のコンテンツを配信するステップとをさらに含む請求項１に記載の方法。
【請求項５】
請求項１に記載の方法を遂行するためのシステム。
【請求項６】
請求項１に記載の方法を遂行するためのコンピュータ実行可能命令を有するコンピュータ読取可能媒体。
【請求項７】
ユーザの個人的な好みについての要請を受信するステップと、
通信デバイスのメモリ、ＳＩＭ、又はＵ−ＳＩＭの１つから、前記ユーザの個人的な好みを検索するステップと、
前記要請されたユーザの個人的な好みを要請側のシステムに送信するステップとを含む、パーソナライズされたコンテンツ配信のための方法。
【請求項８】
前記要請されたユーザの個人的な好みを送信するステップが、前記ユーザの個人的な好みの優先順位リストを送信することを含む請求項７に記載の方法。
【請求項９】
送信の前に、任意のセキュリティ規則を前記ユーザの個人的な好みに適用することをさらに含む請求項７に記載の方法。
【請求項１０】
ユーザの個人的な好みを取得するために前記ユーザと対話形式で話をするステップと、
通信デバイスのメモリ、ＳＩＭ、又はＵ−ＳＩＭの１つの中に前記ユーザの個人的な好みを格納するステップとを含む、個人的な好みを格納する方法。
【請求項１１】
前記ユーザの個人的な好みが、テレビ番組、音楽、映画、本、趣味、レクリエーション及びレジャー、スポーツ、財産管理、食品、及び旅行の少なくとも１つを含む、複数のカテゴリを含む請求項１０に記載の方法。
【請求項１２】
任意のセキュリティ規則を取得するために、前記ユーザと対話形式で話をするステップと、
通信デバイスのメモリ、ＳＩＭ、又はＵ−ＳＩＭの１つの中に、任意のセキュリティ規則を格納するステップとをさらに含む請求項１０に記載の方法。
【請求項１３】
ユーザの個人的な好みを要請するための信号を送信するよう構成されたコンテンツプロバイダを有する、パーソナライズされたコンテンツ配信のためのシステムであって、
前記ユーザの個人的な好みが、通信デバイスのメモリ、ＳＩＭ及びＵ−ＳＩＭの１つの中に格納され、
前記コンテンツプロバイダがまた、前記ユーザの個人的な好み又は大多数のユーザの個人的な好みの１つに応答して、一定のコンテンツを配信するよう構成されるシステム。
【請求項１４】
前記コンテンツプロバイダが、パーソナライズされたコンテンツ配信機能を含む少なくとも１つの通信デバイスを検出したことに応答して、ユーザの個人的な好みを要請するための前記信号を送信するよう構成される請求項１３に記載のシステム。
【請求項１５】
前記コンテンツプロバイダが、ユーザの個人的な好みの変更を判断するために、所定の事象後にポーリングするよう構成され、
前記コンテンツプロバイダが、ユーザの個人的な好み及び大多数のユーザのユーザの個人的な好みの１つの変更に応答して、新しい一定のコンテンツを配信するようさらに構成される請求項１３に記載のシステム。
【請求項１６】
ユーザの個人的な好みに基づく、パーソナライズされたコンテンツ配信のための、パーソナライズされたコンテンツ配信機能と、
前記ユーザの個人的な好みについての要請を受信するための受信機と、
前記要請されたユーザの個人的な好みを要請側のシステムに送信するための送信機とを備えた通信デバイス。
【請求項１７】
前記要請側のシステムに送信するために、前記ユーザの個人的な好みに優先順位が付けられ得る請求項１６に記載の通信デバイス。
【請求項１８】
前記ユーザの個人的な好みに適応可能な１組のセキュリティ規則をさらに含む請求項１６に記載の通信デバイス。
【請求項１９】
前記ユーザの個人的な好みを取得するための対話形式の話をさらに含む請求項１６に記載の通信デバイス。
【請求項２０】
パーソナライズされたコンテンツ配信のためのコンピュータプログラム製品であって、前記コンピュータプログラム製品が、
具現化されたコンピュータ読取可能プログラムコードを有するコンピュータ読取可能媒体を備え、前記コンピュータ読取可能媒体が、
ユーザの個人的な好みについての要請を受信するよう構成されたコンピュータ読取可能プログラムコードと、
通信デバイスのメモリ、ＳＩＭ、又はＵ−ＳＩＭの１つから、前記ユーザの個人的な好みを検索するよう構成されたコンピュータ読取可能プログラムコードと、
前記要請されたユーザの個人的な好みを要請側のシステムに送信するよう構成されたコンピュータ読取可能プログラムコードとを有するコンピュータプログラム製品。
【請求項２１】
ユーザの個人的な好みに優先順位を付けることができるよう構成されたコンピュータ読取可能プログラムコードをさらに含む請求項２０に記載のコンピュータプログラム製品。
【請求項２２】
送信の前に、任意のセキュリティ規則を前記ユーザの個人的な好みに適用するよう構成されたコンピュータ読取可能プログラムコードをさらに含む請求項２０に記載のコンピュータプログラム製品。
【請求項２３】
前記ユーザの個人的な好みを取得するために、ユーザと対話形式で話をするよう構成されたコンピュータ読取可能プログラムコードをさらに含む請求項２０に記載のコンピュータプログラム製品。
【請求項２４】
任意のセキュリティ規則を取得するために、ユーザと対話形式で話をするよう構成されたコンピュータ読取可能プログラムコードをさらに含む請求項２０に記載のコンピュータプログラム製品。
【請求項２５】
通信デバイスのメモリ、ＳＩＭ、又はＵ−ＳＩＭの１つから、ユーザの個人的な好みを検索するステップと、
前記通信デバイスが最初にパーソナライズされたコンテンツ配信デバイスからその要請を受けることなく、前記ユーザの個人的な好みを、前記通信デバイスの近傍部内の１つ又は複数のパーソナライズされたコンテンツ配信プロバイダに周期的に送信するステップとを含む、パーソナライズされたコンテンツ配信の方法。
【請求項２６】
前記要請されたユーザの個人的な好みを送信するステップが、前記ユーザの個人的な好みの優先順位リストを送信することを含む請求項２５に記載の方法。
【請求項２７】
送信の前に、任意のセキュリティ規則を前記ユーザの個人的な好みに適用することをさらに含む請求項２５に記載の方法。
【請求項２８】
ユーザの個人的な好みを示す、同報通信された１つ又は複数の信号を走査するステップであって、前記ユーザの個人的な好みが、通信デバイスのメモリ、ＳＩＭ、又はＵ−ＳＩＭの１つの中に格納されるステップと、
前記ユーザの個人的な好み、又はコンテンツプロバイダによって受信された大多数のユーザの個人的な好みの１つに応答して、一定のコンテンツを配信するステップとを含む、パーソナライズされたコンテンツ配信のための方法。
【請求項２９】
請求項２８に記載の方法を遂行するためのシステム。
【発明の詳細な説明】
【技術分野】
【０００１】
背景技術
本発明は、通信デバイス及びシステム、より詳細には、ユーザへのパーソナライズされたコンテンツ配信のための通信デバイス及び方法に関する。
【背景技術】
【０００２】
ある時間に又は事情により、一定のコンテンツ又は情報を個人又は個人群に提供することが好ましいであろう。たとえば、空港のゲート、医者の待合室、自動車修理施設などの待機区域において、そこにいる人たちの個人的な好みのための、テレビ番組又は他のマルチメディアコンテンツ、音楽などを提供することが非常に望ましいことがある。しかし、人々がこのような事柄について他人と接触することを嫌がり、他人と気持ちを通い合わせたがらないために、これを達成することが、不可能ではないにしても、実際的でないことがある。個人的な好みに基づいて一定のコンテンツを提供する別の例には、買い物客が特定の品目、又はある種の品目又は製品を探している場合が含まれることがある。買い物客が店の中に入って、店のあちこちを探索したりせずに、一定の品目又は製品及び目玉商品が買い物客に自動的に提示され、店には買い物客が望んでいるものがあるかどうかを判断し得る場合、買い物の時間が節約され得る。
【発明の開示】
【課題を解決するための手段】
【０００３】
概要
本発明の実施形態によれば、パーソナライズされたコンテンツ配信のための方法には、ユーザの個人的な好みを要請するための信号を送信することが含まれることがある。ユーザの個人的な好みは、通信デバイス、加入者識別モジュール（ＳＩＭ）、汎用加入者識別モジュール（Ｕ−ＳＩＭ）、又は他のメモリの１つの中に格納されることがある。この方法はまた、ユーザの個人的な好み又は大多数のユーザの個人的な好みの１つに応答して、一定のコンテンツを配信することを含むことがある。
【０００４】
本発明の別の実施形態によれば、パーソナライズされたコンテンツ配信のための方法には、ユーザの個人的な好みについての要請を受信することが含まれることがある。この方法はまた、通信デバイスのメモリ、ＳＩＭ、Ｕ−ＳＩＭなどの１つから、ユーザの個人的な好みを検索することを含むことがある。この方法はさらに、要請されたユーザの個人的な好みを要請側のシステム又はコンテンツプロバイダに送信することを含むことがある。
【０００５】
本発明の別の実施形態によれば、個人的な好みを格納する方法には、ユーザの個人的な好みを取得するために、ユーザと対話形式で話をすることが含まれることがある。この方法はまた、通信デバイスのメモリ、ＳＩＭ、Ｕ−ＳＩＭなどの１つの中に、ユーザの個人的な好みを格納することを含むことがある。
【０００６】
本発明の別の実施形態によれば、パーソナライズされたコンテンツ配信用システムには、ユーザの個人的な好みを要請するための信号を送信するよう構成されたコンテンツプロバイダが含まれることがある。ユーザの個人的な好みは、通信デバイス、ＳＩＭ、Ｕ−ＳＩＭ、又は他のメモリの１つの中に格納されることがある。コンテンツプロバイダはまた、ユーザの個人的な好み又は大多数のユーザの個人的な好みの１つに応答して、一定のコンテンツを配信するよう構成されることがある。
【０００７】
本発明の別の実施形態によれば、通信デバイスには、ユーザの個人的な好みに基づくパーソナライズされたコンテンツ配信のための、パーソナライズされたコンテンツ配信機能が含まれることがある。通信デバイスはまた、ユーザの個人的な好みについての要請を受信するための受信機を含むことがある。通信デバイスはさらに、要請されたユーザの個人的な好みを要請側のシステム又はコンテンツプロバイダに送信するための送信機を含むことがある。
【０００８】
本発明の別の実施形態によれば、パーソナライズされたコンテンツ配信のためのコンピュータプログラム製品には、具現化されたコンピュータ読取可能プログラムコードを有する、コンピュータ読取可能媒体が含まれることがある。コンピュータ読取可能媒体は、ユーザの個人的な好みについての要請を受信するよう構成された、コンピュータ読取可能プログラムコードを含むことがある。コンピュータ読取可能媒体はまた、通信デバイスのメモリ、ＳＩＭ、Ｕ−ＳＩＭなどの１つから、ユーザの個人的な好みを検索するよう構成された、コンピュータ読取可能プログラムコードを含むことがある。コンピュータ読取可能媒体はまた、要請されたユーザの個人的な好みを要請側のシステム又はコンテンツプロバイダに送信するよう構成された、コンピュータ読取可能プログラムコードを含むことがある。
【０００９】
本発明の別の実施形態によれば、パーソナライズされたコンテンツ配信のための方法には、通信デバイスのメモリ、ＳＩＭ、Ｕ−ＳＩＭなどの１つから、ユーザの個人的な好みを検索することが含まれることがある。この方法はまた、通信デバイスが最初にパーソナライズされたコンテンツ配信デバイスからその要請を受けることなく、ユーザの個人的な好みを、通信デバイスの近傍部内の、１つ又は複数のパーソナライズされたコンテンツ配信プロバイダに周期的に送信することを含むことがある。
【００１０】
本発明の別の実施形態によれば、パーソナライズされたコンテンツ配信のための方法には、ユーザの個人的な好みを示す、同報通信された１つ又は複数の信号を走査することが含まれることがある。ユーザの個人的な好みは、通信デバイスのメモリ、ＳＩＭ、Ｕ−ＳＩＭ、又は他のメモリの１つの中に格納されることがある。この方法はまた、ユーザの個人的な好み又は大多数のユーザの個人的な好みの１つがコンテンツプロバイダによって受信されたことに応答して、一定のコンテンツを配信することを含むことがある。
【００１１】
添付図と合わせて、本発明についての以下の非限定的な詳細な記述を検討することにより、特許請求の範囲に定義されている、本発明の他の態様及び特徴が当業者には明らかとなろう。
【発明を実施するための最良の形態】
【００１２】
詳細な説明
以下の実施形態についての詳細な記述では、本発明の一定の実施形態を例示した添付図面を参照する。異なる構造及びオペレーションを有する他の実施形態も、本発明の範囲から逸脱するものではない。
【００１３】
当業者は理解されるであろうが、本発明は、方法、システム、又はコンピュータプログラム製品として具現化されることがある。したがって、本発明は、全体がハードウェアの実施形態、全体がソフトウェアの実施形態（ファームウェア、常駐ソフトウェア、マイクロコードなどを含む）、又は本明細書においてはすべて一般に「回路」、「モジュール」、又は「システム」と呼ばれる、ソフトウェアとハードウェアとの態様を組み合わせた実施形態の形をとることがある。さらに、本発明は、媒体内に具現化されたコンピュータ使用可能プログラムコードを有するコンピュータ使用可能記憶媒体のコンピュータプログラム製品の形をとることがある。
【００１４】
任意の好適なコンピュータ読取可能媒体が利用されることがある。コンピュータ使用可能又はコンピュータ読取可能媒体とは、たとえば、電子、磁気、光学、電磁、赤外線、又は半導体システム、機器、デバイス、又は伝播媒体であり得るが、これらに限定されるものではない。コンピュータ読取可能媒体のより具体的な例（全部を網羅したものではないリスト）には、１本以上のワイヤーを有する電気接続、ポータブルコンピュータディスケット、ハードディスク、ランダムアクセスメモリ（ＲＡＭ）、読取専用メモリ（ＲＯＭ）、消去可能プログラマブル読取専用メモリ（ＥＰＲＯＭ又はフラッシュメモリ）、光ファイバ、ポータブルコンパクトディスク読取専用メモリ（ＣＤ−ＲＯＭ）、光学記憶装置、インターネット又はイントラネットをサポートするものなどの伝送媒体、又は磁気記憶装置のいくつか又はすべてが含まれる。コンピュータ使用可能又はコンピュータ読取可能媒体は、プログラムが印刷された紙又は別の好適な媒体でもあり得ることに留意されたい。何故なら、プログラムは、たとえば紙又は他の媒体の光学走査により電子的に捕獲され、次いでコンパイルされ、解釈され、或いは必要な場合には好適な方法で処理され、次いでコンピュータメモリ内に格納され得るからである。本文献の場合には、コンピュータ使用可能又はコンピュータ読取可能媒体は、命令実行システム、機器、又はデバイスにより又はこれに関連して使用するためのプログラムを含み、格納し、通信し、伝播し、又は移送し得る、任意の媒体であり得る。
【００１５】
本発明のオペレーションを行うためのコンピュータプログラムコードが、Ｊａｖａ、Ｓｍａｌｌｔａｌｋ、Ｃ＋＋などの、オブジェクト指向プログラミング言語で書かれることがある。しかし、本発明のオペレーションを行うためのコンピュータプログラムコードはまた、「Ｃ」プログラミング言語又は同様のプログラミング言語などの、従来の手続き的プログラム言語で書かれることがある。プログラムコードは、全体がユーザのコンピュータ上で、部分的にユーザのコンピュータ上で、スタンドアロン型ソフトウェアパッケージとして、部分的にユーザのコンピュータ上で及び部分的に遠隔コンピュータ上で、又は全体が遠隔コンピュータ又はサーバ上で実行することがある。後者のシナリオにおいては、遠隔コンピュータは、ローカルエリアネットワーク（ＬＡＮ）又はワイドエリアネットワーク（ＷＡＮ）を通じてユーザのコンピュータに接続されるか、又は（たとえば、インターネットサービスプロバイダを使用してインターネットを通じて）外部コンピュータとの接続が行われることがある。
【００１６】
以下、本発明の実施形態による、方法、機器（システム）、及びコンピュータプログラム製品を示す流れ図及び／又はブロック図を参照しながら、本発明について記述する。流れ図及び／又はブロック図のそれぞれのブロック、及び流れ図及び／又はブロック図内のブロックの組合せが、コンピュータプログラム命令によって実施され得ることを理解されよう。これらのコンピュータプログラム命令は、汎用コンピュータ、専用コンピュータ、又は機械を作るための他のプログラマブルデータ処理機器のプロセッサに提供され、したがって、コンピュータ又は他のプログラマブルデータ処理機器のプロセッサを介して実行する命令が、流れ図及び／又はブロック図の１つ又は複数のブロック内に明記された機能／動作を実施する手段を作ることがある。
【００１７】
これらのコンピュータプログラム命令はまた、特定の方法で機能するようコンピュータ又は他のプログラマブルデータ処理機器に命令し得るコンピュータ読取可能メモリ内に格納され、コンピュータ読取可能メモリ内に格納された命令が、流れ図及び／又はブロック図の１つ又は複数のブロック内に明記された機能／動作を実施する命令手段を含む製品を生産することがある。
【００１８】
コンピュータプログラム命令はまた、コンピュータ又は他のプログラマブルデータ処理機器にロードされて、一連の動作ステップをコンピュータ実施プロセスを作るようコンピュータ又は他のプログラマブル機器上で遂行させ、コンピュータ又は他のプログラマブル機器上で実行する命令が、流れ図及び／又はブロック図の１つ又は複数のブロック内に明記された機能／動作を実施するステップを提供することがある。
【００１９】
図１は、本発明の実施形態に従って、ユーザにパーソナライズされたコンテンツを配信するための、ユーザの個人的な好みを取得する方法１００の一例を示す流れ図である。ブロック１０２で、ユーザは、１組の個人的な好みを取得するために、対話形式で話を受けることがある。本発明の一実施形態においては、通信デバイスなどが、ユーザが個人的な好みを入力する通信デバイスの表示装置に、グラフィカルユーザインターフェース（ＧＵＩ）を提示することがある。個人的な好みは、キーパッド、キーボード、又は通信デバイスに関連付けられた同様の入力デバイスを介して、又は音声認識機能を介して、ＧＵＩに入力されることがある。本発明の別の実施形態においては、対話形式の話は、ユーザが音声認識機能などを介して応答する音声プロンプトを介することがある。これについては、図３の通信デバイス３０２についてより詳細に記述する。
【００２０】
ブロック１０４で、１組のユーザの個人的な好みが、通信デバイスにより、上述したものと同様の対話形式の話を介して受信されることがある。１組のユーザの個人的な好みは、複数の異なるカテゴリを含むことがある。異なるカテゴリのユーザの個人的な好みの例には、ニュース、スポーツ、ドラマ、コメディ、アクションなどのテレビ番組、音楽、映画、本、趣味、レクリエーション及びレジャー、スポーツ、財産管理、食品、旅行又は同様の個人的な関心事のカテゴリが含まれることがある。
【００２１】
ブロック１０６で、１組のユーザの個人的な好みが、加入者識別モジュール（ＳＩＭ）、汎用加入者識別モジュール（Ｕ−ＳＩＭ）、又は携帯電話などに関連付けられた第３世代（３Ｇ）移動体通信システムＳＩＭ（ＵＭＴＳ−ＳＩＭ）内に格納されることがある。本発明の別の実施形態によれば、ユーザの個人的な好みは、セルホンなどの通信デバイスの不揮発性メモリ、又は通信デバイスの他のいくつかのデータ記憶装置機能内に格納されることがある。
【００２２】
ブロック１０８で、無線などによりユーザの個人的な好みを提供することに対する任意のセキュリティ規則について、ユーザが対話形式で話を受けることがある。この機能により、事情により、又はユーザがこのような情報が提供されることを望まない場合に、ユーザの個人的な好みが提供されることが防止されることがある。セキュリティ規則の例には、好みを送信する前に常にユーザに入力要求すること、所定の条件又は基準により又は選ばれた場所においては、単に好みを送信すること、複数の選択群のコンテンツプロバイダに、又はある選択群のコンテンツプロバイダを除くすべてのコンテンツプロバイダに、単に好みを送信すること、又は他のセキュリティ上の事前注意が含まれることがある。
【００２３】
ブロック１１０で、１組のセキュリティ規則が、加入者識別モジュール（ＳＩＭ）、汎用加入者識別モジュール（Ｕ−ＳＩＭ）、又は携帯電話などに関連付けられた第３世代（３Ｇ）移動体通信システムＳＩＭ（ＵＭＴＳ−ＳＩＭ）内に格納されることがある。本発明の別の実施形態によれば、セキュリティ規則は、セルホンなどの通信デバイスの不揮発性メモリ、又は通信デバイスの他のいくつかのデータ記憶装置機能内に格納されることがある。
【００２４】
図２は、本発明の実施形態に従って、ひとり又は複数のユーザの通信デバイスに、パーソナライズされたコンテンツを配信する方法２００の一例を示す流れ図である。コンテンツ配信用のシステム、デバイスなどによって遂行される動作又は機能の例が図２の左側に表されており、通信デバイス、セルホンなどによって遂行される動作又は機能の例が図２の右側に表されている。
【００２５】
ブロック２０２で、コンテンツ配信のための、コンテンツプロバイダ、システム、又はデバイスが、パーソナライズされたコンテンツ配信機能を含むコンテンツプロバイダの範囲又は近傍部内の、任意の通信デバイスについて走査することがある。コンテンツ配信のための、コンテンツプロバイダ、システム、又はデバイスは、コンテンツ配信のための、ひとりのユーザの又は複数のユーザの個人的な好みを示す、同報通信された１つ又は複数の信号について走査することがある。本発明のこの実施形態においては、１つ又は複数の通信デバイスは、最初にコンテンツプロバイダ、システム、又はデバイスによって問い合わせられることなく、それらの好みを連続的に同報通信することがある。
【００２６】
ブロック２０２にも示されているように、本発明の別の実施形態においては、コンテンツプロバイダ、システム、又はデバイスは、問い合わせ信号、ポーリング信号、又は同様の信号を、パーソナライズされたコンテンツ配信機能などを含む範囲内の任意の通信デバイスに送信することがある。信号は、携帯電話タイプの信号、赤外線信号、ブルートゥース信号、ＷｉＦｉ（ワイファイ）タイプの信号、又は地理的に固定されていないデバイスとの通信を可能にする同様の信号であり得る。
【００２７】
ブロック２０４で、範囲内の任意の通信デバイスが、問い合わせ信号を検出することがある。ブロック２０６で、１つ又は複数の通信デバイスは、応答確認信号を送信することがある。応答確認信号は、パーソナライズされたコンテンツ機能を含む通信デバイスに応答して送信されることがあり、この機能は使用可能となり、通信デバイスは、通信デバイス内に格納されているセキュリティ規則により、問い合わせた側のコンテンツプロバイダから「隠されない」。ブロック２０８で、コンテンツプロバイダ又はシステムは、応答確認信号を受信することがある。応答確認信号を受信することにより、コンテンツプロバイダ又はシステムは、個人のコンテンツ配信機能を含む範囲内の、任意の通信デバイスの存在を検出する。
【００２８】
ブロック２１０で、コンテンツプロバイダ又はシステムは、空港のゲート、通勤電車、待機区域、又は他の公共の場所などに、多くの通信デバイスが存在する場合、ひとり又は複数のユーザの個人的な好みを要請する、１つ又は複数の信号を送信することがある。ブロック２１２で、ユーザの個人的な好みを要請する信号が、コンテンツプロバイダ又はシステムの範囲内にある通信デバイスのそれぞれによって受信されることがある。個人的な好みは、事情、環境、又は他の基準により、一定のカテゴリに限定されることがある。たとえば、空港ゲートでは、テレビ番組、旅行、又は食品の好みのみが、尋ねられることがある。医者の待合室、エレベータなどでは、要請された好みのカテゴリが、音楽の好みのみに限定されることがある。リゾート地に出かける一群の旅行者については、恐らく、食事、レクリエーション及びレジャー、スポーツなどの、そのリゾート地に関係する好みのみが要請されることがある。ユーザが買い物をしている場合、ある物品又は品目が、ユーザの好みに従って、店の入り口近くの又は店のウィンドウ内の、コンピュータシステム、キオスクなどに提示されることがある。このようにして、買い物客は、関心のある物品又は品目を検討して、店内に入ってもっと良く物品を見たいかどうか、又は品目を購入したいかどうかを判断し得る。店内での関心のある物品又は品目までの指示も提供されることがある。買い物客はまた、通信デバイスを使用して対話の形で品目を購入し、したがって、その品目のある場所まで行ってレジで待つことなく、購入した品目を専用のデスク又は窓口で引き取ることがある。
【００２９】
本発明の別の実施形態においては、コンテンツプロバイダ又はシステムは、ブロック２１０と同様に、最初に、任意の通信デバイスがブロック２０２〜２０６に記述したものと同様の範囲内にあるかどうかを検出することなく、個人的な好みを要請する１つ又は複数の信号のみを送信することがある。このようにして、コンテンツプロバイダは、要請又は要請信号に応答してユーザの個人的な好みを受信することにより、範囲内の任意の通信デバイスを検出し得る。
【００３０】
ブロック２１４で、通信デバイスは、メモリ、ＳＩＭ、Ｕ−ＳＩＭなどから、要請された個人的な好みを検索することがある。通信デバイスはまた、メモリ、ＳＩＭ、Ｕ−ＳＩＭなどから、任意の適応可能なセキュリティ規則を検索することがある。ブロック２１６で、上述したものなどの、任意のセキュリティ規則が適用されることがある。ブロック２１８で、要請されたユーザの個人的な好みが、要請側のデバイス、コンテンツプロバイダ、システムなどに送信されることがある。公共の又はポーリングの環境又は状況において、ユーザの個人的な好みは、リストで優先順位が付けられることがある。
【００３１】
別の実施形態においては、通信デバイスは、最初にパーソナライズされたコンテンツ配信プロバイダ、デバイス、又はシステムからその要請を受けることなく、ユーザの個人的な好みを、通信デバイスの近傍部又は範囲内の１つ又は複数のパーソナライズされたコンテンツ配信プロバイダに周期的に送信することがある。次いで、パーソナライズされたコンテンツプロバイダ又はデバイスは、そのユーザの個人的な好み又はコンテンツプロバイダによって受信された大多数のユーザの個人的な好みの１つに応答して、一定のコンテンツを配信することがある。
【００３２】
ブロック２２０で、ひとりの又は複数のユーザの個人的な好みが、コンテンツプロバイダ又はシステムによって受信されることがある。ブロック２２２で、一定のコンテンツが、そのユーザの個人的な好み、又はコンテンツプロバイダ又はシステムの範囲又は近傍部内の大多数のユーザの好みに応答して、配信される又は提示されることがある。
【００３３】
ブロック２２４で、コンテンツプロバイダ又はシステムは、ユーザの好みが変更されたかどうかを判断するために、所定の時間帯又は事象の後に再走査する又はポーリングすることがある。たとえば、コンテンツプロバイダは、新しいユーザ又は１群のユーザが現在存在し、したがってユーザの好みが変更されたかどうかを判断するために、以前のコンテンツ又は番組又は同様の事象の完了後に再走査する又はポーリングすることがある。ブロック２２６で、新しいコンテンツが、再走査又はポーリング及びユーザの個人的な好みの変更に応答して提示される又は配信されることがある。
【００３４】
図３は、本発明の実施形態に従って、パーソナライズされたコンテンツを配信するための、例示的システム３００及び通信デバイス３０２を示す概略ブロック図である。通信デバイス３０２は、コードレス電話、セルラー電話、携帯情報端末（ＰＤＡ）、コミュニケータ、コンピュータデバイスなどであり、Ａｄｖａｎｃｅｄ  Ｍｏｂｉｌｅ  Ｐｈｏｎｅ  Ｓｅｒｖｉｃｅ（ＡＭＰＳ）、Ｄｅｇｉｔａｌ  Ａｄｖａｎｃｅｄ  Ｍｏｂｉｌｅ  Ｐｈｏｎｅ  Ｓｅｒｖｉｃｅ（Ｄ−ＡＭＰＳ）、広域自動車通信システム（ＧＳＭ）、符号分割多重アクセス（ＣＤＭＡ）などの、特定の通信標準に固有のものではない。図３に例示した通信デバイス３０２の設計は、本発明を説明するためのものであり、本発明は特定の設計に限定されるものではない。
【００３５】
通信デバイス３０２は、電話及び他の通信を開始すること及び行うことを含む、通信デバイス３０２のオペレーションを制御することを促進するための、演算部又はユーザインターフェース３０４を含むことがある。ユーザインターフェース３０４は、通信デバイス３０２のステータス及びオペレーションについて、視覚信号を加入者又はユーザに提供するための表示装置３０６を含むことがある。表示装置３０６は、カラー画像を提示することが可能な液晶表示装置（ＬＣＤ）などであり得る。表示装置３０６は、画像、テキスト、数字、キャラクタ、グラフィカルユーザインターフェース（ＧＵＩ）などの形態で、ユーザ又はオペレータに情報を提供することがある。表示装置３０６は、図１の方法１００について上述したものと同様に、異なるカテゴリの好みのそれぞれについて、ユーザが個人的な好みを入力するために、ＧＵＩを提示することがある。
【００３６】
ユーザインターフェース３０４はまた、キーパッド３０８、及びファンクションキー、又はジョイスティックなどのポイントデバイスを含むボタン３１０を含むことがある。キーパッド３０８、ファンクションボタン、及びジョイスティック３１０により、ユーザは、コマンドを通信デバイス３０２に通信して、電話番号をダイアルする、電話を開始する及び終了する、インターネットへのアクセスなどの他の通信を確立する、電子メール、テキストメッセージなどを送受信することができる。キーパッド３０８、ファンクションボタン、及びジョイスティック３１０はまた、通信デバイス３０２の他のオペレーションを制御するのに使用されることがある。表示装置３０６、キーパッド３０８、及びファンクションボタン３１０は、メインプロセッサ及び制御論理ユニット３１２に結合されることがある。メインプロセッサ及び制御論理ユニット３１２は、マイクロプロセッサなどであり得る。メインプロセッサ及び論理ユニット３１２は、パーソナライズされたコンテンツ配信機能３１４を含むことがある。図１の方法１００及び図２の方法２００について記述した機能及びオペレーションのいくつかが、パーソナライズされたコンテンツ配信機能３１４内に具現化されることがある。パーソナライズされたコンテンツ配信機能は、ハードウェア、ファームウェア、ソフトウェア（パーソナライズされたコンテンツを配信するためのデータ構造）又は両方の組合せ内に具現化されることがある。メインプロセッサ及び論理ユニット３１２はまた、制御信号を符号化する及び復号するための、他のデータ構造、ソフトウェアプログラム、コンピュータアプリケーションなどを含み、本明細書に記述した通信手順及び他の機能を遂行することがある。
【００３７】
ユーザインターフェース３０４はまた、マイクロホン３１６及びスピーカ３１８を含むことがある。マイクロホン３１６は、ユーザから又は別の音響源から、音声信号又は音響信号を受信することがある。マイクロホン３１６は、音声信号又は音響信号を電気信号に変換することがある。マイクロホン３１６はメインプロセッサ及び論理ユニット３１２に接続されて、メインプロセッサ及び論理ユニット３１２が、電気信号をベースバンド通信信号に変換することがある。メインプロセッサ及び制御論理ユニット３１２は送信機３２０に接続されて、この送信機３２０が、メインプロセッサ及び制御論理ユニット３１２からのベースバンド信号を無線周波数（ＲＦ）信号に変換することがある。送信機３２０は、コンテンツプロバイダ３２４などの通信媒体又はシステムにＲＦ信号を送信するようアンテナアセンブリ３２２に接続されることがある。コンテンツプロバイダ３２４は、通信システム、コンピュータシステム、テレビ、又はパーソナライズされたコンテンツをユーザ又は１群のユーザに配信するためにユーザの個人的な好みを要請する、他の種類の要請側のシステム又はデバイスであり得る。
【００３８】
アンテナアセンブリ３２２は、無線によりＲＦ信号を受信し、このＲＦ信号を受信機３２６に転送することがある。受信機３２６は、ＲＦ信号をベースバンド信号に変換することがある。ベースバンド信号は、ベースバンド信号を電気信号に変換するメインプロセッサ及び制御論理ユニット３１２に印加されることがある。プロセッサ及び制御ユニット３１２は、電気信号をスピーカ３１８に送り、電気信号をユーザが理解し得る音声信号に変換することがある。
【００３９】
通信デバイス３０２のオペレーション用の電力を提供するために、電源３２８がメインプロセッサ及び制御論理ユニット３１２に接続されることがある。電源３２８は、蓄電池などであり得る。通信デバイス３０２はまた、少なくとも１つのデータ記憶装置又はメモリ３３０を含むことがある。メモリ３３０は、電話番号のリストを格納することがある。このリストの例には、メモリ３３０の電話帳部分内などの、ユーザの動作により入力された及び格納された電話番号、失敗した又は応答されなかった呼の電話番号、通信デバイス３０２などによって呼び出された電話番号などが含まれることがある。メモリ３３０は、コンピュータ実行可能又はコンピュータ使用可能命令、又は本発明の実施形態に従って上述したものなどの特別なオペレーション又は機能を遂行するためのデータ構造などのデータ構造を格納するための、コンピュータ読取可能媒体であり得る。
【００４０】
本発明の別の実施形態においては、通信デバイス３０２はまた、ユーザの個人的な好み及び他の加入者情報を格納するための、ＳＩＭ３３２、Ｕ−ＳＩＭなどを含むことがある。
【００４１】
通信デバイス３０２はまた、コンテンツプロバイダ３２４などの、他のデバイス及びシステムとの短距離又は中距離通信用トランシーバ３３４を含むことがある。トランシーバ３３４は、ブルートゥース、ＷｉＦｉ、赤外線、ＷｉＭＡＸ、又は他の技術の短距離又は中距離トランシーバであり得る。ＷｉＭＡＸは、固定ブロードバンドワイヤレスメトロポリタンアクセスネットワーク（ＭＡＮ）のための無線インターフェース標準（ＩＥＥＥ８０２．１６）である。トランシーバ３３４は、図２の方法２００について上述したものと同様に、ユーザの個人的な好みについての要請を受信するのに、かつコンテンツプロバイダ３２４などのコンテンツプロバイダにこのような好みを送信するのに使用されることがある。
【００４２】
通信デバイス３０２はまた、セキュリティ規則３３６、及び音声認識システム（ＶＲＳ）３３８又は機能を含むことがある。セキュリティ規則３３６は、メモリ３３０又はＳＩＭ３３２内に格納されることがある。セキュリティ規則は、方法２００（図２）について上述したものと同様に、ユーザのパーソナライズされた好みについての要請に適用されることがある。音声認識システム３３８は、ハードウェア、ソフトウェア、ファームウェア、これらの組合せなどにおいて具現化され、プロセッサ及び制御論理ユニット３１２と連携して動作することがある。音声認識システム３３８は、マイクロホン３１６に結合されて、ユーザ又はオペレータが、通信を確立するよう又は他のオペレーション又は機能を遂行するよう、音声コマンドにより通信デバイス３０２のオペレーションを制御できるようになることがある。マイクロホン３１６、音声認識システム３３８、及びスピーカ３１８は、本発明の実施形態に従ってユーザの個人的な好みを入力するために、ユーザと対話形式で話をするよう、組み合わせて使用されることがある。
【００４３】
コンテンツプロバイダ３２４は、コンテンツプロバイダ３２４のオペレーションを制御するためのプロセッサ３４０とそれに関連付けられた構成要素とを含むことがある。コンテンツプロバイダ３２４は、本発明の実施形態に従って、個人的な好みを要請し、パーソナライズされたコンテンツを提供するための、通信システム、コンピュータシステム、テレビ、又は任意の種類のシステム又はデバイスであり得る。
【００４４】
コンテンツプロバイダ３２４はまた、パーソナライズされたコンテンツ配信機能３４２を含むことがある。コンテンツ配信機能３４２は、コンテンツ配信用のシステム又はデバイスについて図２に記述した機能の性能を促進することがある。パーソナライズされたコンテンツ配信機能は、ハードウェア、ファームウェア、ソフトウェアなど、及びこれらの任意の組合せにおいて具現化されることがある。
【００４５】
コンテンツプロバイダ３２４又は要請側のシステムはまた、ブルートゥース、赤外線、ＷｉＦｉ、ＷｉＭＡＸ、又は他の種類の短距離又は中距離トランシーバ３４４を含むことがある。トランシーバ３４４は、図２の方法２００について上述したものと同様に、ユーザの個人的な好みについての要請を送信し、要請された好みを受信することがある。
【００４６】
コンテンツプロバイダ３２４はまた、デバイス３０２などの通信デバイスから、マイクロ波、セルラータイプの信号、又は他の信号を受信するための無線トランシーバ３４６を含むことがある。無線トランシーバ３４６は、通信デバイスに、ブルートゥース、赤外線、ＷｉＦｉ、ＷｉＭＡＸ、又は図３に例示されている通信デバイス３０３内のトランシーバ３４４などの他の種類の短距離又は中距離トランシーバが装備されていない場合に、又は何らかの理由により通信デバイスがこのトランシーバを使用していない場合に使用されることがある。
【００４７】
図中の流れ図又はブロック図は、本発明の様々な実施形態による、システム、方法、及びコンピュータプログラム製品の可能な実装形態の、アーキテクチャ、機能、及びオペレーションを例示している。この点に関して、流れ図又はブロック図のそれぞれのブロックが、１つ又は複数の明記された論理機能を実施するための１つ以上の実行可能な命令を有する、モジュール、セグメント、又はコードの１部分を表している。いくつかの代替実装形態においては、ブロック内に記載されている機能の、図に記載されている順序が異なることがあることについても注意されたい。たとえば、連続して示されている２つのブロックが、実際には実質的に並行して実行されることがある。又はブロックが、これに伴う機能により、時々逆の順序で実行されることがある。また、ブロック図及び／又は流れ図のそれぞれのブロック、及びブロック図及び／又は流れ図のブロックの組合せが、明記された機能又は動作を遂行する専用ハードウェアベースのシステム、又は専用ハードウェア及びコンピュータ命令の組合せによって実施され得ることについても注意されたい。
【００４８】
本明細書において使用される用語は、単に特定の実施形態について説明するためのものであり、本発明を限定するものではない。本明細書において使用される単数形（「ａ」、「ａｎ」、及び「ｔｈｅ」）は、特にことわりのない限り、複数形も含むものとする。さらに、用語「を有する」及び／又は「を含む」は、本明細書において使用する場合、記載した特徴、整数、ステップ、オペレーション、要素、及び／又は構成要素の存在を明記するものであり、１つ以上の他の特徴、整数、ステップ、オペレーション、要素、構成要素、及び／又はそれらの群の存在又は追加を除外するものではないことも理解されよう。
【００４９】
本明細書において、一定の実施形態について例示し記載してきたが、当業者は、同じ目的を達成するよう計画される任意の配置が、示されている一定の実施形態に置き換えられること、かつ本発明は他の環境において他の適用形態を有することを理解されるであろう。この適用形態は、本発明の任意の適合形態又は変形形態を包含するものである。頭記の特許請求の範囲は、本発明の範囲を本明細書に記載した一定の実施形態に限定するものでは決してない。
【図面の簡単な説明】
【００５０】
【図１】本発明の実施形態に従ってパーソナライズされたコンテンツをユーザに配信するために、ユーザの個人的な好みを取得する方法の一例を示す流れ図である。
【図２Ａ】本発明の実施形態に従ってパーソナライズされたコンテンツをユーザに配信する方法の一例を示す流れ図である（図２Ａと図２Ｂを合わせたものが図２である。）。
【図２Ｂ】本発明の実施形態に従ってパーソナライズされたコンテンツをユーザに配信する方法の一例を示す流れ図である。
【図３】本発明の実施形態に従ってパーソナライズされたコンテンツを配信するための例示的システム及び通信デバイスを示す概略ブロック図である。
【図１】
2008544367.tif 000003
【図２Ａ】
2008544367.tif 000004
【図２Ｂ】
2008544367.tif 000005
【図３】
2008544367.tif 000006
【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
ユーザの個人的な好みを要請するための信号を送信するステップであって、前記ユーザの個人的な好みが、移動通信デバイス、ＳＩＭ、又はＵ−ＳＩＭの１つの中に格納されるステップと、
複数のユーザの移動通信デバイスから、個人的な好みを受信するステップと、
所定の区域内の大多数のユーザの個人的な好みに対応する、一定のコンテンツを前記複数のユーザに配信するステップとを含む、パーソナライズされたコンテンツ配信のための方法。
【請求項２】
パーソナライズされたコンテンツ配信機能を含む少なくとも１つの通信デバイスを検出したことに応答して、ユーザの個人的な好みを要請するための前記信号を送信することをさらに含む請求項１に記載の方法。
【請求項３】
前記ユーザの個人的な好みを要請するための前記信号が、コンテンツ配信システムに基づく１つ又は複数の一定のカテゴリに限定される請求項１に記載の方法。
【請求項４】
ユーザの個人的な好みの任意の変更を判断するために所定の事象後にポーリングするステップと、
所定の区域内の大多数のユーザのユーザの個人的な好みの変更に応答して、新しい一定のコンテンツを配信するステップとをさらに含む請求項１に記載の方法。
【請求項５】
請求項１に記載の方法を遂行するためのシステム。
【請求項６】
請求項１に記載の方法を遂行するためのコンピュータ実行可能命令を有するコンピュータ読取可能媒体。
【請求項７】
ユーザの個人的な好みについての要請を受信するステップと、
通信デバイスのメモリ、ＳＩＭ、又はＵ−ＳＩＭの１つから、前記ユーザの個人的な好みを検索するステップと、
前記要請されたユーザの個人的な好みを要請側のシステムに送信するステップと、
所定の区域内の大多数のユーザの個人的な好みに対応する、一定のコンテンツを受信するステップとを含む、パーソナライズされたコンテンツ配信のための方法。
【請求項８】
前記要請されたユーザの個人的な好みを送信するステップが、前記ユーザの個人的な好みの優先順位リストを送信することを含む請求項７に記載の方法。
【請求項９】
送信の前に、任意のセキュリティ規則を前記ユーザの個人的な好みに適用することをさらに含む請求項７に記載の方法。
【請求項１０】
前記ユーザの個人的な好みを取得するために、ユーザと対話形式で話をするステップと、
通信デバイスのメモリ、ＳＩＭ、又はＵ−ＳＩＭの１つの中に、前記ユーザの個人的な好みを格納するステップと、
任意のセキュリティ規則を取得するために、前記ユーザと対話形式で話をするステップと、
前記通信デバイスの前記メモリ、前記ＳＩＭ、又は前記Ｕ−ＳＩＭの１つの中に、任意のセキュリティ規則を格納するステップとを含む、個人的な好みを格納する方法。
【請求項１１】
前記ユーザの個人的な好みが、テレビ番組、音楽、映画、本、趣味、レクリエーション及びレジャー、スポーツ、財産管理、食品、及び旅行の少なくとも１つを含む、複数のカテゴリを含む請求項１０に記載の方法。
【請求項１２】
ユーザの個人的な好みを要請するための信号を送信するよう構成されたコンテンツプロバイダを有する、パーソナライズされたコンテンツ配信のためのシステムであって、
前記ユーザの個人的な好みが、移動体通信デバイスのメモリ、ＳＩＭ及びＵ−ＳＩＭの１つの中に格納され、
前記コンテンツプロバイダがまた、所定の区域内の大多数のユーザの個人的な好みに応答して、一定のコンテンツを配信するよう構成されるシステム。
【請求項１３】
前記コンテンツプロバイダが、パーソナライズされたコンテンツ配信機能を含む少なくとも１つの通信デバイスを検出したことに応答して、ユーザの個人的な好みを要請するための前記信号を送信するよう構成される請求項１２に記載のシステム。
【請求項１４】
前記コンテンツプロバイダが、ユーザの個人的な好みの変更を判断するために、所定の事象後にポーリングするよう構成され、
前記コンテンツプロバイダが、所定の区域内の大多数のユーザのユーザの個人的な好みの変更に応答して、新しい一定のコンテンツを配信するようさらに構成される請求項１２に記載のシステム。
【請求項１５】
ユーザの個人的な好みに基づく、パーソナライズされたコンテンツ配信のための、パーソナライズされたコンテンツ配信機能と、
前記ユーザの個人的な好みについての要請を受信するための受信機と、
前記要請されたユーザの個人的な好みを要請側のシステムに送信するための送信機と、
所定の区域内の大多数のユーザの個人的な好みに基づく、一定のコンテンツを提示するためのユーザインターフェースとを備えた通信デバイス。
【請求項１６】
前記要請側のシステムに送信するために、前記ユーザの個人的な好みに優先順位が付けられ得る請求項１５に記載の通信デバイス。
【請求項１７】
前記ユーザの個人的な好みに適応可能な１組のセキュリティ規則をさらに含む請求項１５に記載の通信デバイス。
【請求項１８】
前記ユーザの個人的な好みを取得するための対話形式の話をさらに含む請求項１５に記載の通信デバイス。
【請求項１９】
パーソナライズされたコンテンツ配信のための、コンピュータプログラム製品であって、前記コンピュータプログラム製品が、
具現化されたコンピュータ読取可能プログラムコードを有するコンピュータ読取可能媒体を備え、前記コンピュータ読取可能媒体が、
ユーザの個人的な好みについての要請を受信するよう構成されたコンピュータ読取可能プログラムコードと、
通信デバイスのメモリ、ＳＩＭ、又はＵ−ＳＩＭの１つから、前記ユーザの個人的な好みを検索するよう構成されたコンピュータ読取可能プログラムコードと、
前記要請されたユーザの個人的な好みを要請側のシステムに送信するよう構成されたコンピュータ読取可能プログラムコードと、
所定の区域内の大多数のユーザの個人的な好みに対応する、一定のコンテンツを受信するよう構成されたコンピュータ読取可能プログラムコードとを有するコンピュータプログラム製品。
【請求項２０】
ユーザの個人的な好みに優先順位を付けることができるよう構成されたコンピュータ読取可能プログラムコードをさらに含む請求項１９に記載のコンピュータプログラム製品。
【請求項２１】
送信の前に、任意のセキュリティ規則を前記ユーザの個人的な好みに適用するよう構成されたコンピュータ読取可能プログラムコードをさらに含む請求項１９に記載のコンピュータプログラム製品。
【請求項２２】
前記ユーザの個人的な好みを取得するために、ユーザと対話形式で話をするよう構成されたコンピュータ読取可能プログラムコードをさらに含む請求項１９に記載のコンピュータプログラム製品。
【請求項２３】
任意のセキュリティ規則を取得するために、ユーザと対話形式で話をするよう構成されたコンピュータ読取可能プログラムコードをさらに含む請求項１９に記載のコンピュータプログラム製品。
【請求項２４】
ユーザの個人的な好みを示す、同報通信された１つ又は複数の信号を走査するステップであって、前記ユーザの個人的な好みが、通信デバイスのメモリ、ＳＩＭ、又はＵ−ＳＩＭの１つの中に格納されるステップと、
所定の区域内の大多数のユーザの個人的な好みに対応する、一定のコンテンツを配信するステップとを含む、パーソナライズされたコンテンツ配信のための方法。
【請求項２５】
請求項２４に記載の方法を遂行するためのシステム。
【請求項２６】
前記所定の区域が待機区域である請求項１に記載の方法。
【国際調査報告】
2008544367.tif 000007
2008544367.tif 000008